(57)【要約】【課題】ファンモータに個体差がある場合でも燃焼ファンの回転速度の制御安定性の向上を図りうる温風暖房機を提供する。【解決手段】制御装置７を構成するファン制御部３１により、ファンモータ１４に対する供給電流が１〜１２速ならびにＰ２速およびＰ３速のそれぞれに応じた設定値に制御される。この際、送風ファン３の実回転速度Ｒが目標速度範囲から逸脱していることを要件として、ファンモータ１４に対する供給電流が補正される。Ｐ３速（ガスバーナ４の燃焼運転停止時における少なくとも１つの目標回転速度）に応じた目標速度範囲Ｓ２の幅は、１〜１２速のそれぞれに応じた目標速度範囲の幅よりも広く設定されている。【選択図】  図３
2016161218.tif 000002
【特許請求の範囲】
【請求項１】
筐体と、
前記筐体に収容された燃焼器と、
空気を前記筐体の内部に吸引し、前記燃焼器の燃焼熱により当該空気を加熱することで温風として前記筐体の外部に吹き出す送風ファンと、
前記送風ファンの駆動源としてのファンモータと、
前記送風ファンの回転速度を検知するための回転速度センサと、
前記送風ファンの回転速度を複数の目標回転速度のそれぞれに制御するように前記ファンモータに対する供給電流を制御する制御装置と、を備えている温風暖房機であって、
前記制御装置が、前記送風ファンの回転速度を前記複数の目標回転速度のうち前記燃焼器の燃焼運転時における複数の目標回転速度および前記燃焼器の燃焼運転停止時における少なくとも１つの目標回転速度のそれぞれに制御するように前記ファンモータに対する供給電流を制御している際に、前記回転速度センサにより検知された前記送風ファンの回転速度が当該目標回転速度を中間値として含む目標速度範囲に含まれているか否かを判定する判定手段と、
前記判定手段により前記送風ファンの回転速度が前記目標速度範囲から外れていると判定されたことを要件として前記ファンモータに対する供給電流を補正する電流制御手段と、を備え、
前記燃焼器の燃焼運転停止時における前記少なくとも１つの目標回転速度を中間値として含む目標速度範囲の幅が、前記燃焼器の燃焼運転時における前記複数の目標回転速度のそれぞれを中間値として含む複数の目標速度範囲の幅よりも大きく設定されていることを特徴とする温風暖房機。
【請求項２】
請求項１記載の温風暖房機において、
前記電流制御手段が、前記判定手段により前記送風ファンの回転速度が前記目標速度範囲から外れていると判定された連続的または累積的時間が基準時間に達したことを要件として前記ファンモータに対する供給電流を補正することを特徴とする温風暖房機。
【請求項３】
請求項２記載の温風暖房機において、
前記燃焼器の燃焼運転停止時における前記少なくとも１つの目標回転速度に対する前記基準時間が、前記燃焼器の燃焼運転時における前記複数の目標回転速度のそれぞれに対する前記基準時間よりも長くなるように設定されていることを特徴とする温風暖房機。
【発明の詳細な説明】
【技術分野】
【０００１】
本発明は、温風暖房機に関する。
【背景技術】
【０００２】
ガス温風暖房機等の燃焼機器において、バーナ（燃焼器）に燃焼用空気を供給する燃焼ファンの回転速度が、当該バーナの必要燃焼量に応じて設定された目標回転速度に一致するようにファンモータに対する供給電流を制御する手法が知られている（特許文献１参照）。
【先行技術文献】
【特許文献】
【０００３】
【特許文献１】特開平１０−１５３３１５号公報
【発明の概要】
【発明が解決しようとする課題】
【０００４】
しかし、ファンモータにおいて電流変動に応じた回転速度変動が比較的大きくなる、というように分解能が低くなる回転速度領域が存在する場合がある。また、ファンモータまたは当該モータに電流を供給するドライバ（正確にはこれを構成する回路）などの個体差のため、モータに対する供給電流が同じであってもその実回転速度が異なる場合がある。これらの場合、燃焼ファンの回転速度を安定に制御することが困難である。
【０００５】
たとえば、燃焼ファンの低速運転時における実回転速度が目標回転速度よりも大きくなる特性をファンモータが有する場合、暖房機の筐体の内部から外部に吹き出される風量が過多となる。このため、燃焼器の燃焼運転停止に応じて燃焼ファンが低速運転している状況で、その周囲にいるユーザに冷風感を覚えさせる可能性がある。また、筐体内部に設けられた温度センサによる検知温度の早期低下に応じて燃焼器の燃焼運転の再開が尚早となり、燃焼器の運転再開および停止の頻度が高くなる可能性がある。
【０００６】
これとは逆に、燃焼ファンの低速運転時における実回転速度が目標回転速度よりも小さくなる特性をファンモータが有する場合、暖房機の筐体の内部から外部に吹き出される風量が過小となる。このため、燃焼器の燃焼運転停止に応じて燃焼ファンが低速運転している状況で、筐体内部に設けられた温度センサによる検知温度がなかなか低下せず、燃焼器の燃焼運転の再開が遅延し、その周囲にいるユーザに違和感を覚えさせる可能性がある。
【０００７】
そこで、本発明は、ファンモータに個体差がある場合でも燃焼ファンの回転速度の制御安定性の向上を図りうる温風暖房機を提供することを解決課題とする。
【課題を解決するための手段】
【０００８】
本発明は、筐体と、前記筐体に収容された燃焼器と、空気を前記筐体の内部に吸引し、前記燃焼器の燃焼熱により当該空気を加熱することで温風として前記筐体の外部に吹き出す送風ファンと、前記送風ファンの駆動源としてのファンモータと、前記送風ファンの回転速度を検知するための回転速度センサと、前記送風ファンの回転速度を複数の目標回転速度のそれぞれに制御するように前記ファンモータに対する供給電流を制御する制御装置と、を備えている温風暖房機に関する。
【０００９】
本発明の温風暖房機は、前記制御装置が、前記送風ファンの回転速度を前記複数の目標回転速度のうち前記燃焼器の燃焼運転時における複数の目標回転速度および前記燃焼器の燃焼運転停止時における少なくとも１つの目標回転速度のそれぞれに制御するように前記ファンモータに対する供給電流を制御している際に、前記回転速度センサにより検知された前記送風ファンの回転速度が当該目標回転速度を中間値として含む目標速度範囲に含まれているか否かを判定する判定手段と、前記判定手段により前記送風ファンの回転速度が前記目標速度範囲から外れていると判定されたことを要件として前記ファンモータに対する供給電流を補正する電流制御手段と、を備え、前記燃焼器の燃焼運転停止時における前記少なくとも１つの目標回転速度を中間値として含む目標速度範囲の幅が、前記燃焼器の燃焼運転時における前記複数の目標回転速度のそれぞれを中間値として含む複数の目標速度範囲の幅よりも大きく設定されていることを特徴とする。
【００１０】
本発明の温風暖房機によれば、送風ファンの回転速度が燃焼器の燃焼運転時における複数の目標回転数および燃焼運転停止時における少なくとも１つの目標回転速度のそれぞれに制御される際、送風ファンの実回転速度が当該目標回転速度を中間値として含む目標速度範囲から外れていることを要件としてファンモータに対する供給電流が補正される。これにより、ファンモータ等に個体差があっても、送風ファンの実回転速度が目標速度範囲に確実に含まれるように制御される。このため、暖房機の筐体の内部から外部に吹き出される風量が過多または過少となる事態が確実に防止される。
【００１１】
目標速度範囲は、送風ファンの実回転速度に応じたファンモータに対する供給電流の補正に関して不感帯に該当する。燃焼器の燃焼運転停止時における少なくとも１つの目標回転速度に応じた目標速度範囲の幅が、送風ファンの回転速度が燃焼器の燃焼運転時における複数の目標回転速度のそれぞれに応じた目標速度範囲の幅よりも広い。このため、送風ファンの低速運転時（燃焼器の燃焼運転停止時における目標回転数での運転時）において、高速運転時（燃焼器の燃焼運転時における複数の目標回転数のそれぞれでの運転時）と比較して供給電流の変化に対する実回転速度の変化が大きくなるような特性をファンモータが有する場合でも、当該特性に鑑みて複数の不感帯の幅が適当に差異化されることによって当該供給電流の補正頻度が低く抑制されうる。これにより、送風ファンの高速運転時のみならず低速運転時において、ファンモータの当該特性によってその実回転速度が不安定となる事態が確実に防止される。
【００１２】
なお、目標速度範囲の上限値および下限値のそれぞれは可変に設定されてもよい。たとえば、送風ファンの実回転速度が目標速度範囲の上限値を超える（または下限値を下回る）速度または頻度が高いほど、目標速度範囲の上限値が高く（または下限値が低く）なるように補正されてもよい。目標速度範囲の上限値および中間値（目標回転速度）の偏差と、目標速度範囲の下限値および当該中間値の偏差とは同一であってもよく異なっていてもよい。前記のように上限値および下限値のうち一方または両方が可変に設定されることにより当該偏差が変化してもよい。
【００１３】
本発明の温風暖房機において、前記電流制御手段が、前記判定手段により前記送風ファンの回転速度が前記目標速度範囲から外れていると判定された連続的または累積的時間が基準時間に達したことを要件として前記ファンモータに対する供給電流を補正する。
【００１４】
当該構成の温風暖房機によれば、前記不感帯に加えて基準時間の存在によってファンモータに対する供給電流の補正頻度がさらに低く抑制されうる。これにより、送風ファンの高速運転時のみならず低速運転時において、ファンモータの当該特性によってその実回転速度が不安定となる事態がいっそう確実に防止される。
【００１５】
なお、送風ファンの実回転速度が目標速度範囲の上限値を超えた場合の基準時間（第１基準時間）、および、送風ファンの実回転速度が目標速度範囲の下限値を下回った場合の基準時間（第２基準時間）のそれぞれが可変に設定されてもよい。たとえば、送風ファンの実回転速度が目標速度範囲の上限値を超える（または下限値を下回る）速度または頻度が高いほど、第１基準時間（または第２基準時間）が短くまたは長くなるように補正されてもよい。第１基準時間および第２基準時間は同一であってもよく異なっていてもよい。
【００１６】
本発明の温風暖房機において、前記燃焼器の燃焼運転停止時における前記少なくとも１つの目標回転速度に対する前記基準時間が、前記燃焼器の燃焼運転時における前記複数の目標回転速度のそれぞれに対する前記基準時間よりも長くなるように設定されている。
【００１７】
当該構成の温風暖房機によれば、送風ファンの回転速度が燃焼器の燃焼運転停止時に少なくとも１つの目標回転速度に制御される際の基準時間が、送風ファンの回転速度が燃焼器の燃焼運転時に複数の目標回転速度のそれぞれに制御される際における基準時間よりも長くなるように設定されている。このため、送風ファンの低速運転時において、高速運転時と比較して供給電流の変化に対する実回転速度の変化が大きくなるような特性をファンモータが有する場合でも、当該特性に鑑みて前記のように複数の不感帯の幅が適当に差異化されることに加えて、複数の基準時間が適当に差異化されることによって当該供給電流の補正頻度が低く抑制されうる。これにより、送風ファンの高速運転時のみならず低速運転時において、ファンモータの当該特性によってその実回転速度が不安定となる事態が確実に防止される。
【図面の簡単な説明】
【００１８】
【図１】本発明の一実施形態としての温風暖房機の構成説明図。
【図２】本発明の一実施形態としての温風暖房機の機能説明図。
【図３】送風ファンの実回転速度の変化態様に関する説明図。
【発明を実施するための形態】
【００１９】
（構成）
図１に示されている本発明の一実施形態の温風暖房機はガスファンヒータであり、筐体１（本体ケース）、ならびに、筐体１の内部に配置されているダクト２、送風ファン３、ガスバーナ（燃焼器）４、ダクト５、ガス供給管６および制御装置７を備えている。
【００２０】
ダクト２は、温風の送風路を構成するものであり、室内空気を取り込むための吸気口８を筐体１の背面に開口し、筐体１の前面下部において温風の吹出口９を開口している。吸気口８には塵や埃等がダクト２内に流入するのを防ぐためにエアフィルタ１０が着脱自在に取付けられている。吹出口９には、その開口度合いを調節する可動式ルーバ１１が取付けられ、この可動式ルーバ１１を駆動するためのギャドモータ１２が設けられている。また、ダクト２の内部の吸気口８付近の箇所には、この吸気口８に臨んでサーミスタにより構成された室温センサ１３が取付けられ、この室温センサ１３は、室温に応じた信号を制御装置７に出力する。
【００２１】
送風ファン３は、通電電流に比例して回転速度が変化するファンモータ１４（ＤＣモータ）と、吹出口９に臨んでダクト２内に配置されファンモータ１４により回転駆動される回転羽根１５とを有し、回転羽根１５の回転により吸気口８からダクト２の内部空間に室内空気ｓを吸引する。そして、吸引した室内空気ｓをダクト２内に組み込まれたガスバーナ４の燃焼排気ｈと混合し、それを温風ｍとして吹出口９から筐体１の外部（筐体１が設置されている室内）に吹き出す。この送風ファン３には、その回転速度を検出するホール素子等により構成された回転速度センサ１６が設けられ、回転速度センサ１６は、ファンモータ１４の回転速度に応じた信号を制御装置７に出力する。
【００２２】
ダクト２の内部に組み込まれたガスバーナ４は、燃焼胴１７内に燃焼プレート１８を配し、燃焼用空気と燃料ガスとの混合気に点火するための点火電極１９を燃焼プレート１８の下流側に配している。このガスバーナ４の燃焼胴１７はダクト２内に配置され、その燃焼排気ｈが燃焼胴１７からダクト２内に排出される。また、燃焼プレート１８の下流側には燃焼炎の有無を検知するための熱電対２０が配置され、この熱電対２０は、ガスバーナ４の燃焼炎に晒された状態で起電力を発生し、それをガスバーナ４の燃焼状態として制御装置７に出力する。
【００２３】
ダクト５は、室内空気ｓ（燃焼用空気）と燃料ガスとをガスバーナ４に供給するための通路であり、ガスバーナ４の燃焼胴１７内と連通し且つダクト２と画成して筐体１内に組み込まれ、筐体１の背面で開口した室内空気ｓの吸気口２１を有している。そして、ダクト５のガスバーナ４側の箇所には、ガス供給管６の先端に取付けられたノズル２２が設けられている。このダクト５には、送風ファン３の回転作動により吸気口２１から室内空気ｓが吸引され、その吸引された室内空気ｓがガス供給管６のノズル２２から噴出される燃料ガスと混合され、その混合気がガスバーナ４に供給される。尚、吸気口２１は、ダクト２の吸気口８と共にエアフィルタ１０により覆われている。
【００２４】
ガス供給管６には、その上流側より、電磁弁２４，２５および電磁比例弁２６が順に配設されている。電磁弁２４，２５は通電により開弁するものであり、通電を停止した閉弁状態では燃料ガスの通過を遮断する。電磁比例弁２６は、通電電流の大きさに伴って開度が増大する弁であり、通電電流とガスバーナ４への供給ガス量とが比例する。
【００２５】
筐体１の外面部には運転スイッチ２７、室温設定スイッチ２８およびフィルタランプ２９が配設されている。運転スイッチ２７は、そのＯＮ／ＯＦＦ操作により暖房運転の開始や終了を制御装置７に指示する。室温設定スイッチ２８は室温を設定するための操作スイッチであり、その所定の操作により、設定温度Ｔを単位温度（例えば１℃）ずつ上昇あるいは下降させて制御装置７に指示する。フィルタランプ２９は、エアフィルタ１０の目詰まりが進行している場合等、送風ファン３の回転作動時の風量が、正常な場合に比してある程度少なくなる場合に、制御装置７の通電制御により点灯し、その点灯によりエアフィルタ１０の清掃等の必要性を使用者に報知する。
【００２６】
制御装置７は、コンピュータ（ＣＰＵ（演算処理装置）、ＲＯＭ，ＲＡＭ等のメモリ（記憶装置）およびＩ／Ｏ回路等により構成されている。）により構成されている。制御装置７は、燃焼制御部３０およびファン制御部３１を備えている。
【００２７】
燃焼制御部３０は、運転スイッチ２７および室温設定スイッチ２８の指示信号、並びに室温センサ１３および熱電対２０の検出信号に基づき、ガスバーナ４の点火、消火、燃焼量の調整（燃料ガスの供給量の調整）等、ガスバーナ４の燃焼制御を行う。この場合、本実施形態では、燃焼制御部３０は、ガスバーナ４の点火動作時を含む燃焼運転中に、ガスバーナ４の燃焼量（燃料ガスの供給量）を１〜１２速（１２速は最大燃焼量に相当）の１２段階に設定可能としている。
【００２８】
ファン制御部３１は、運転スイッチ２７および室温設定スイッチ２８の指示信号、並びに室温センサ１３、回転速度センサ１６および熱電対２０の検出信号に基づき、ファンモータ１４を通電制御して、送風ファン３の回転速度を制御することで、ガスバーナ４への燃焼用空気を含む送風ファン３の風量を制御する。そして、ファン制御部３１は、ガスバーナ４の点火動作時を含む燃焼運転中は、ガスバーナ４の燃焼量に対応して送風ファン３の風量（回転速度）を１〜１２速（１２速は最大燃焼量に対応する送風ファン３の最大回転速度に相当）の１２段階に設定可能としている。ファン制御部３１は、ガスバーナ４の燃焼運転停止中は、送風ファン３の風量（回転速度）を１速よりも低速のＰ２速およびＰ３速（ガスバーナ４の運転停止時における送風ファン３の最小目標回転速度に相当する。）の２段階に設定可能としている。各速数におけるガスバーナ４の燃焼量（燃料ガスの供給量）およびそれに対応した送風ファン３の風量（回転速度）は、あらかじめ定められている。ファン制御部３１が本発明の「判定手段」および「電流制御手段」を構成する。
【００２９】
（機能）
前記構成のガスファンヒータ（温風暖房機）の機能、特にファン制御部３１の機能について説明する。
【００３０】
ガスバーナ４が燃焼運転時にはファンモータ１４に対する供給電流が、１〜１２速（１２速は最大燃焼量に応じた目標回転速度）のそれぞれに応じた設定値に制御される。回転速度センサ１６の出力信号に基づいて測定される送風ファン３の実回転速度Ｒが、該当する目標速度範囲に含まれているか否かが判定される。当該判定結果が否定的であることを要件として、ファンモータ１４に対する供給電流が補正される。具体的には、送風ファン３の実回転速度Ｒが目標範囲の上限値を超えたと判定されたことを要件として、ファンモータ１４に対する供給電流が低減される。送風ファン３の実回転速度Ｒが目標範囲の下限値を下回ったと判定されたことを要件として、ファンモータ１４に対する供給電流が増大される。
【００３１】
暖房機の温調運転、すなわちガスバーナ４の燃焼運転が停止されたか否かが熱電対２０の出力信号に基づいて判定される（図２／ＳＴＥＰ０２）。
【００３２】
ガスバーナ４の燃焼運転が停止されたと判定された場合（図２／ＳＴＥＰ０２‥ＹＥＳ）、ファンモータ１４に対する供給電流が、送風ファン３の回転速度をＰ２速に対応する目標回転速度Ｒ（Ｐ２）に制御するためにあらかじめ設定されている値に制御される（図２／ＳＴＥＰ１０）。ファン制御部３１を構成するモータドライバ（マイコン）に対する指令信号がビット単位で変更されることにより、当該モータドライバによりファンモータ１４に対する供給電流が当該変更ビット数に応じた分だけ変化する。
【００３３】
Ｐ２速運転開始から第１設定時間Ｔ（Ｐ２）（たとえば５［ｓ］）が経過したか否かがタイマ（図示略）を用いて判定される（図２／ＳＴＥＰ１１）。第１設定時間Ｔ（Ｐ２）が経過していないと判定された場合（図２／ＳＴＥＰ１１‥ＮＯ）、ファンモータ１４に対する供給電流がＰ２速に応じた第１設定値に維持される（図２／ＳＴＥＰ１０）。第１設定時間Ｔ（Ｐ２）が経過したと判定された場合（図２／ＳＴＥＰ１１‥ＹＥＳ）、回転速度センサ１６の出力信号に基づいて測定される送風ファン３の実回転速度Ｒが、Ｐ２速に応じた第１目標速度範囲Ｓ１（図３参照）に含まれているか否かが判定される。第１目標速度範囲Ｓ１は目標回転速度Ｒ（Ｐ２）を中間値として含んでいる。第１目標速度範囲Ｓ１の中間値Ｒ（Ｐ２）と、上限値Ｓ１＿ｍａｘおよび下限値Ｓ１＿ｍｉｎのそれぞれとの偏差の大きさは同じである。第１目標速度範囲Ｓ１の幅は、１〜１２速のそれぞれに応じた目標速度範囲の幅以下に設定されている。
【００３４】
具体的には、送風ファン３の実回転速度Ｒが、第１目標速度範囲Ｓ１の上限値Ｓ１＿ｍａｘを超えているか否かが判定される（図２／ＳＴＥＰ１２）。送風ファン３の実回転速度Ｒが第１目標速度範囲Ｓ１の上限値Ｓ１＿ｍａｘ以下であると判定された場合（図２／ＳＴＥＰ１２‥ＮＯ）、送風ファン３の実回転速度Ｒが第１目標速度範囲Ｓ１の下限値Ｓ１＿ｍｉｎを下回っているか否かがさらに判定される（図２／ＳＴＥＰ１３）。
【００３５】
送風ファン３の実回転速度Ｒが上限値Ｓ１＿ｍａｘを超えていると判定された場合（図２／ＳＴＥＰ１２‥ＹＥＳ）、ファン制御部３１の指令信号が１ビットだけ低減される（図２／ＳＴＥＰ１８）。これに応じてファンモータ１４に対する供給電流が低減され、ひいては送風ファン３の実回転速度Ｒの低下が図られる。送風ファン３の実回転速度Ｒが下限値Ｓ１＿ｍｉｎを下回っていると判定された場合（図２／ＳＴＥＰ１３‥ＹＥＳ）、ファン制御部３１の指令信号が１ビットだけ増大される（図２／ＳＴＥＰ１９）。これに応じてファンモータ１４に対する供給電流が増加され、ひいては送風ファン３の実回転速度Ｒの上昇が図られる。ファン制御部３１の指令信号があった場合、当該変更後の指令信号に基づいてＰ２速に応じた第１設定値が更新された上で、ファン制御部３１を構成する記憶装置に記憶保持されてもよい。
【００３６】
送風ファン３の実回転速度Ｒが下限値Ｓ１＿ｍｉｎ以上であると判定された場合（図２／ＳＴＥＰ１３‥ＮＯ）、ファン制御部３１の指令信号が変更されることなく、Ｐ２速運転の終了条件が満たされているか否かが判定される（図２／ＳＴＥＰ１００）。ファン制御部３１の指令信号が変更された場合も（図２／ＳＴＥＰ１８およびＳＴＥＰ１９参照）、Ｐ２速運転の終了条件が満たされているか否かが判定される（図２／ＳＴＥＰ１００）。具体的には、Ｐ２速運転の継続時間が第１所定時間（第１設定時間Ｔ（Ｐ２）よりも長い）に達したか否かが判定される。代替的または付加的に、室温センサ１３の出力信号に基づいて測定される温度（室温）が所定温度まで低下したか否かが判定されてもよい。
【００３７】
Ｐ２速運転の終了条件が満たされていないと判定された場合（図２／ＳＴＥＰ１００‥ＮＯ）、送風ファン３の実回転速度Ｒが、Ｐ２速に応じた第１目標速度範囲Ｓ１に含まれているか否かの判定を含む上記一連の処理が実行される（図２／ＳＴＥＰ１２，ＳＴＥＰ１３，ＳＴＥＰ１８およびＳＴＥＰ１９）。
【００３８】
Ｐ２速運転の終了条件が満たされていると判定された場合（図２／ＳＴＥＰ１００‥ＹＥＳ）、ファンモータ１４に対する供給電流が、送風ファン３の回転速度をＰ３速に対応する目標回転速度Ｒ（Ｐ３）に制御するためにあらかじめ設定されている第２設定値に制御される（図２／ＳＴＥＰ２０）。
【００３９】
Ｐ３速運転開始から第２設定時間Ｔ（Ｐ３）（たとえば５［ｓ］）が経過したか否かがタイマ（図示略）を用いて判定される（図２／ＳＴＥＰ２１）。第２設定時間Ｔ（Ｐ３）は第１設定時間Ｔ（Ｐ２）と同一であっても異なっていてもよい。第２設定時間Ｔ（Ｐ３）が経過していないと判定された場合（図２／ＳＴＥＰ２１‥ＮＯ）、ファンモータ１４に対する供給電流がＰ３速に応じた第２設定値に維持される（図２／ＳＴＥＰ２０）。第２設定時間Ｔ（Ｐ３）が経過したと判定された場合（図２／ＳＴＥＰ２１‥ＹＥＳ）、回転速度センサ１６の出力信号に基づいて測定される送風ファン３の実回転速度Ｒが、Ｐ３速に応じた第２目標速度範囲Ｓ２（図３参照）に含まれているか否かが判定される。第２目標速度範囲Ｓ２の中間値Ｒ（Ｐ３）と、上限値Ｓ２＿ｍａｘおよび下限値Ｓ２＿ｍｉｎのそれぞれとの偏差の大きさは同じである。第２目標速度範囲Ｓ２の幅は、第１目標速度範囲Ｓ１の幅よりも広く設定されている。なお、Ｐ２速およびＰ３速のそれぞれに応じた目標回転速度が同一である一方、第２目標速度範囲Ｓ２の幅が第１目標速度範囲Ｓ１の幅よりも広く設定されていてもよい。
【００４０】
具体的には、送風ファン３の実回転速度Ｒが、Ｐ３速に応じた第２目標速度範囲Ｓ２の上限値Ｓ２＿ｍａｘを超えているか否かが判定される（図２／ＳＴＥＰ２２）。送風ファン３の実回転速度Ｒが当該上限値Ｓ２＿ｍａｘ以下であると判定された場合（図２／ＳＴＥＰ２２‥ＮＯ）、送風ファン３の実回転速度Ｒが第２目標速度範囲Ｓ２の下限値Ｓ２＿ｍｉｎを下回っているか否かがさらに判定される（図２／ＳＴＥＰ２３）。
【００４１】
送風ファン３の実回転速度Ｒが上限値Ｓ２＿ｍａｘを超えていると判定された場合（図２／ＳＴＥＰ２２‥ＹＥＳ）、その状態の継続時間Σ１がΔｔ（ファン制御部３１の演算処理周期）だけ増大される（図２／ＳＴＥＰ２４）。その上で、当該継続時間Σ１が第１基準時間ＴＨ１に達したか否かが判定される（図２／ＳＴＥＰ２６）。当該継続時間Σ１が第１基準時間ＴＨ１に達したと判定された場合（図２／ＳＴＥＰ２６‥ＹＥＳ）、ファン制御部３１の指令信号が１ビットだけ低減される（図２／ＳＴＥＰ２８）。これに応じてファンモータ１４に対する供給電流が低減され、ひいては送風ファン３の実回転速度Ｒの低下が図られる。
【００４２】
たとえば、図３に一点鎖線で示されているように、時刻ｔ０以後にＰ３速運転が開始された後、送風ファン３の実回転速度Ｒが時刻ｔ１において第２目標速度範囲Ｓ２の上限値Ｓ２＿ｍａｘを超えた場合について考える。この場合、送風ファン３の実回転速度Ｒが第２目標速度範囲Ｓ２の上限値Ｓ２＿ｍａｘを超えている状態の継続時間が第１基準時間ＴＨ１に達した時刻ｔ１＋ＴＨ１以後に、ファンモータ１４に対する供給電流の低減によって、送風ファン３の実回転速度Ｒが低下して第２目標速度範囲Ｓ２に収まるように制御されている。
【００４３】
送風ファン３の実回転速度Ｒが下限値Ｓ２＿ｍｉｎを下回っていると判定された場合（図２／ＳＴＥＰ２３‥ＹＥＳ）、その状態の継続時間Σ２がΔｔだけ増大される（図２／ＳＴＥＰ２５）。その上で、当該継続時間Σ２が第２基準時間ＴＨ２に達したか否かが判定される（図２／ＳＴＥＰ２７）。第２基準時間ＴＨ２は、第１基準時間ＴＨ１と同一でも異なっていてもよい。当該継続時間Σ２が第２基準時間ＴＨ２に達したと判定された場合（図２／ＳＴＥＰ２７‥ＹＥＳ）、ファン制御部３１の指令信号が１ビットだけ増大される（図２／ＳＴＥＰ２９）。これに応じてファンモータ１４に対する供給電流が増加され、ひいては送風ファン３の実回転速度Ｒの上昇が図られる。
【００４４】
たとえば、図３に二点鎖線で示されているように、時刻ｔ０以後にＰ３速運転が開始された後、送風ファン３の実回転速度Ｒが時刻ｔ２において第２目標速度範囲Ｓ２の下限値Ｓ２＿ｍｉｎを下回った場合について考える。この場合、送風ファン３の実回転速度Ｒが第２目標速度範囲Ｓ２の下限値Ｓ２＿ｍｉｎを超えている状態の継続時間が第２基準時間ＴＨ２に達した時刻ｔ２＋ＴＨ２以後に、ファンモータ１４に対する供給電流の増加によって、送風ファン３の実回転速度Ｒが上昇して第２目標速度範囲Ｓ２に収まるように制御されている。
【００４５】
ファン制御部３１の指令信号があった場合、当該変更後の指令信号に基づいてＰ３速に応じた第２設定値が更新された上で、ファン制御部３１を構成する記憶装置に記憶保持されてもよい。
【００４６】
送風ファン３の実回転速度Ｒが下限値Ｓ２＿ｍｉｎ以上であると判定された場合（図２／ＳＴＥＰ２３‥ＮＯ）、ファン制御部３１の指令信号が変更されることなく、Ｐ３速運転の終了条件が満たされているか否かが判定される（図２／ＳＴＥＰ２００）。継続時間Σ１およびΣ２のそれぞれが、基準時間ＴＨ１およびＴＨ２のそれぞれに達していないと判定された場合（図２／ＳＴＥＰ２６‥ＮＯ、ＳＴＥＰ２７‥ＮＯ）、および、ファン制御部３１の指令信号が変更された場合も（図２／ＳＴＥＰ２８およびＳＴＥＰ２９参照）、Ｐ３速運転の終了条件が満たされているか否かが判定される（図２／ＳＴＥＰ２００）。具体的には、Ｐ３速運転の継続時間が第２所定時間（第２設定時間Ｔ（Ｐ３）よりも長い）に達したか否かが判定される。代替的または付加的に、室温センサ１３の出力信号に基づいて測定される温度（室温）が所定温度まで低下したか否かが判定されてもよい。
【００４７】
Ｐ３速運転の終了条件が満たされていないと判定された場合（図２／ＳＴＥＰ２００‥ＮＯ）、送風ファン３の実回転速度Ｒが、Ｐ３速に応じた第２目標速度範囲Ｓ２に含まれているか否かの判定を含む上記一連の処理が実行される（図２／ＳＴＥＰ２２〜ＳＴＥＰ２９）。
【００４８】
Ｐ３速運転の終了条件が満たされていると判定された場合（図２／ＳＴＥＰ２００‥ＹＥＳ）、Ｐ３速運転が停止され、一連の処理が終了する。これに応じて燃焼運転が再開されてもよい。継続時間Σ１およびΣ２のそれぞれは０にリセットされる。
【００４９】
（効果）
前記機能を発揮するガスファンヒータによれば、送風ファン３の回転速度が１〜１２速、Ｐ２速およびＰ３速のそれぞれに制御される際、送風ファン３の実回転速度Ｒが目標速度範囲（Ｐ２速の場合は第１目標速度範囲Ｓ１であり、Ｐ３速の場合は第２目標速度範囲Ｓ２である。）から外れていることを要件としてファンモータ１４に対する供給電流が補正される（図２／ＳＴＥＰ１２、１３、１８および１９ならびにＳＴＥＰ２０〜２９参照）。これにより、ファンモータ１４およびモータドライバなどの構成要素に個体差があっても、送風ファン３の実回転速度Ｒが各目標速度範囲に確実に含まれるように制御される（図３／一点鎖線および二点鎖線参照）。このため、送風ファン３の低速運転時において、ガスファンヒータの筐体１の内部から外部に吹き出される風量が過多または過少となる事態が確実に防止される。
【００５０】
送風ファン３の回転速度の第２目標速度範囲Ｓ２は、当該送風ファン３の実回転速度Ｒに応じたファンモータ１４に対する供給電流の補正に関して不感帯に該当する。第２目標速度範囲Ｓ２（ガスバーナ４の燃焼運転停止時における少なくとも１つの目標回転速度に応じた目標速度範囲）の幅が、ガスバーナ４の燃焼運転時における１〜１２速に応じた目標速度範囲の幅よりも広くなるように設定されている。このため、送風ファン３のＰ３速運転時に、それよりも高速の運転時と比較して供給電流の変化に対する回転速度の変化が大きくなるような特性をファンモータ１４が有する場合でも、当該特性に鑑みて複数の不感帯の幅が適当に差異化されることによって当該供給電流の補正頻度が低く抑制されうる。これにより、送風ファン３の高速運転時のみならず低速運転時において、ファンモータ１４の当該特性によってその実回転速度Ｒが不安定となる事態が確実に防止される。
【００５１】
（本発明の他の実施形態）
前記実施形態では、ガスバーナ４の燃焼運転停止時における送風ファン３の目標速度範囲（第１目標速度範囲Ｓ１および第２目標速度範囲Ｓ２（図３参照））が２つ設定されているが、他の実施形態として当該目標速度範囲が１つであってもよく３つ以上であってもよい。ガスバーナ４の燃焼運転停止時における送風ファン３の複数の目標回転速度のうち一部のみに応じた目標速度範囲が設定されてもよい。たとえば、Ｐ２速およびＰ３速のそれぞれに応じた送風ファン３の目標回転速度Ｒ（Ｐ２）およびＲ（Ｐ３）が設定されている一方、送風ファン３の目標速度範囲として第１目標速度範囲Ｓ１および第２目標速度範囲Ｓ２のうちいずれか一方のみが設定されていてもよい。Ｐ３速よりもさらに低い目標回転速度が設定されている一方、当該目標回転速度に応じた目標速度範囲が設定されていなくてもよい。
【００５２】
前記実施形態では、（１）送風ファン３の実回転速度Ｒが第２目標速度範囲Ｓ２から逸脱したことに加えて、（２）当該逸脱状態の継続時間Σ１、Σ２が基準時間ＴＨ１、ＴＨ２に達したことを要件として、ファン制御部３１の指令信号のビット数が変更されたが（図２／ＳＴＥＰ２２、ＳＴＥＰ２３、ＳＴＥＰ２６およびＳＴＥＰ２７参照）、他の実施形態として、（１）送風ファン３の実回転速度Ｒが第２目標速度範囲Ｓ２から逸脱したことのみを要件として、ファン制御部３１の指令信号のビット数が変更されてもよい。すなわち、図２／ＳＴＥＰ２４〜ＳＴＥＰ２７の処理が省略されてもよい。
【００５３】
前記実施形態では、送風ファン３の実回転速度Ｒが第１目標速度範囲Ｓ１から逸脱していることのみを要件として、ファン制御部３１の指令信号のビット数が変更されたが（図２／ＳＴＥＰ１２およびＳＴＥＰ１３参照）、他の実施形態として、送風ファン３の実回転速度Ｒが第１目標速度範囲Ｓ１から逸脱していることに加えて、当該逸脱状態の継続時間が基準時間に達したことを要件として、ファン制御部３１の指令信号のビット数が変更されてもよい。この場合、第１目標速度範囲Ｓ１からの逸脱状態の基準時間ＴＨ１およびＴＨ２が、第１目標速度範囲Ｓ１又は１〜１２速に応じた目標速度範囲からの逸脱状態の基準時間よりも長くなるように各基準時間が設定されてもよい。
【符号の説明】
【００５４】
１‥筐体、３‥送風ファン、４‥ガスバーナ（燃焼器）、７‥制御装置、１４‥ファンモータ、１６‥回転速度センサ。
【図１】
2016161218.tif 000003
【図２】
2016161218.tif 000004
【図３】
2016161218.tif 000005